(57)【要約】      （修正有）【課題】回路基板を電子制御装置のケース内に挿入する際に、回路基板に実装した電子部品がケースと干渉しないような回路基板の収納構造の提供。【解決手段】回路基板２０を収納するケース１１の対向する両側壁内面に一対のガイド溝１４が設けられており、該ガイド溝１４は、ケース１１の奥側では溝幅を均一とした細幅部とする一方、挿入用開口側１３ではガイド溝１４の幅方向に対向する両側面を互いに離反する方向へ傾斜させた傾斜面１５として開口側に向けて溝幅を広げた拡径部とし、該拡径部の一方の第１傾斜面１５の傾斜開始点を他方の第２傾斜面の傾斜開始点よりも挿入用開口１３に近接する位置に設けており、回路基板２０を挿入用開口１３からケース１１内に斜め挿入する際に、回路基板２０の挿入側先端が第１傾斜面１５に当接して回路基板の挿入角度が規制され、回路基板２０に実装した電子部品２２がケース１１の開口周縁に干渉しない設定としている。【選択図】図４
2007035741.tif 000002
【特許請求の範囲】
【請求項１】
電子部品を実装した回路基板を、ケースの一端面に設けられた挿入用開口より挿入してケース内部に収納する回路基板の収納構造であって、
前記ケースはボックス形状で、該ケースの対向する両側壁の内面に前記挿入用開口側より他端の奥側にかけて前記回路基板の両側端縁を摺動自在に嵌合する一対のガイド溝が設けられ、
前記ガイド溝は、前記ケース奥側では溝幅を均一とした直線状の細幅部とする一方、前記挿入用開口側では、該開口に向けてガイド溝の対向する両側面を互いに離反する方向へ傾斜させて第１傾斜面と第２傾斜面とで溝底面を挟む拡径部とし、該第１傾斜面は第２傾斜面より傾斜開始点を開口側に近接させ、
前記第１傾斜面は、前記回路基板が前記ケースの挿入用開口に向けて斜め挿入される際に該回路基板の挿入側先端と当接する側に配置され、該回路基板の挿入側先端の挿入角度を規制して前記細幅部の中心軸線に近接させ、実装した電子部品が前記ケースの挿入側開口の周縁に干渉させない設定としていることを特徴とする回路基板の収納構造。
【請求項２】
前記第１傾斜面の傾斜角度を前記第２傾斜面の傾斜角度よりも大としている請求項１に記載の回路基板の収納構造。
【請求項３】
前記ケースの挿入用開口はケースの前端面に設けられると共に、前記ガイド溝はケースの左右対向する内面に設けられ、該ガイド溝の底面を挟む両側面は上下両側面とされ、前記第１傾斜面は下面側、第２傾斜面は上面側とされ、前記回路基板は挿入側先端を下方傾斜させて挿入されるものである請求項１または請求項２に記載の回路基板の収納構造。
【請求項４】
前記ガイド溝は前記ケースの開口端から奥端まで延在して形成され、前記第１傾斜面が前記ガイド溝の全長に対して４分の１以下の範囲に設けられている請求項１乃至請求項３のいずれか１項に記載の回路基板の収納構造。
【請求項５】
前記傾斜面のケース奥側に前記傾斜面よりも緩やかに傾斜する中間緩傾斜面が連続させて設けられており、前記ガイド溝の側面の傾斜角度を３段に変化させている請求項１乃至請求項４のいずれか１項に記載の回路基板の収納構造。
【請求項６】
前記ケース内には複数枚の回路基板が収容され、該ケースの側壁内面に複数の前記ガイド溝が並設され、これら並設されるガイド溝のうち少なくとも両側のガイド溝には前記拡径部が設けられている請求項１乃至請求項４のいずれか１項に記載の回路基板の収納構造。
【発明の詳細な説明】
【技術分野】
【０００１】
本発明は、回路基板の収納構造に関し、詳しくは、ケース内に回路基板を収納した電子制御装置において、回路基板のケース内への挿入を容易にするものである。
【背景技術】
【０００２】
従来、自動車に搭載される電子制御装置は、ケース内に電子部品を実装した回路基板を収容しており、回路基板のケース内へ案内すると共に回路基板をケース内の所要箇所に位置決め保持するためにケース内面にガイド溝を設けたものがある。
例えば、特開２０００−４９４７５号公報（特許文献１）では、ケース内への回路基板の挿入を容易にするため、ガイド溝の回路基板挿入側の溝幅を大きく設定している。
【０００３】
特許文献１のようにガイド溝の回路基板挿入側を拡径部として溝幅を大きくした場合、図８に示すように、ケース１内に回路基板２を斜め挿入すると、回路基板２の挿入側先端２ａがガイド溝３の溝幅を大きくした拡径部３ａの傾斜面４に当接され、ガイド溝３により回路基板２の挿入方向が規制される。
このように、ガイド溝３に拡径部３ａを設けると回路基板２の受け入れ口が大きくなり、回路基板２のケース１内への挿入を容易にすることができる。
【０００４】
しかしながら、ガイド溝３の拡径部３ａの上下幅Ｙを大きくし、かつ、奥行きＸを大きく設定していると、回路基板２の大部分をケース１内に挿入しなければ回路基板２の挿入側先端２ａが傾斜面４に当接しない。よって、ケース１を薄型化した場合、回路基板２の挿入スペースに十分な余裕がないため、図９に示すように、回路基板２の挿入側先端２ａが傾斜面４に当接する前に、回路基板２に実装した電子部品５にケース１の開口周縁１ａが干渉して、電子部品５が損傷したり、回路基板２から電子部品５が脱落するおそれがある。
【特許文献１】特開２０００−４９４７５号公報
【発明の開示】
【発明が解決しようとする課題】
【０００５】
本発明は前記問題に鑑みてなされたものであり、回路基板を電子制御装置のケース内に挿入する際に、回路基板に実装した電子部品がケースと干渉しないようにして、ケース内への回路基板の挿入を容易にすることを課題としている。
【課題を解決するための手段】
【０００６】
前記課題を解決するため、本発明は、電子部品を実装した回路基板を、ケースの一端面に設けられた挿入用開口より挿入してケース内部に収納する回路基板の収納構造であって、
前記ケースはボックス形状で、該ケースの対向する両側壁の内面に前記挿入用開口側より他端の奥側にかけて前記回路基板の両側端縁を摺動自在に嵌合する一対のガイド溝が設けられ、
前記ガイド溝は、前記ケース奥側では溝幅を均一とした直線状の細幅部とする一方、前記挿入用開口側では、該開口に向けてガイド溝の対向する両側面を互いに離反する方向へ傾斜させて第１傾斜面と第２傾斜面とで溝底面を挟む拡径部とし、該第１傾斜面は第２傾斜面より傾斜開始点を開口側に近接させ、
前記第１傾斜面は、前記回路基板が前記ケースの挿入用開口に向けて斜め挿入される際に該回路基板の挿入側先端と当接する側に配置され、該回路基板の挿入側先端の挿入角度を規制して前記細幅部の中心軸線に近接させ、実装した電子部品が前記ケースの挿入側開口の周縁に干渉させない設定としていることを特徴とする回路基板の収納構造を提供している。
【０００７】
より詳細には、前記ケースの挿入用開口はケースの前端面に設けられると共に、前記ガイド溝はケースの左右対向する内面に設けられ、該ガイド溝の底面を挟む両側面は上下両側面とされ、前記第１傾斜面は下面側、第２傾斜面は上面側とされ、前記回路基板は挿入側先端を下方傾斜させて挿入されるものである。
【０００８】
前記構成によれば、ケース内面に設けたガイド溝のケース開口側に拡径部を設け、該拡径部の第１傾斜面の傾斜開始点を第２傾斜面の傾斜開始点よりも挿入用開口側に設けているため、ケースに対して斜め挿入された回路基板が挿入の初期段階で第１傾斜面に当接する。この挿入初期段階で第１傾斜面に当接した回路基板は、さらにケース内に押し込むことによりガイド溝によって挿入角度が規制され、回路基板がケースに対して真っ直ぐに挿入される。即ち、ケース内に挿入される回路基板は前記ガイド溝の第１傾斜面によって挿入の初期段階で挿入角度が規制されるため、回路基板に実装した電子部品がケースの開口周縁と干渉するのを防止でき、電子部品の損傷や回路基板からの脱落を防止することができる。よって、回路基板をケース内に挿入する作業員の能力にかかわらず挿入作業を容易にすることができ、かつ、電子部品とケースとの干渉を防止するのに他の治具等を用いていないためコストアップの問題もない。
【０００９】
前記第１傾斜面の傾斜角度を前記第２傾斜面の傾斜角度よりも大としていることが好ましい。
前記構成によれば、第１傾斜面の傾斜開始点をケース開口に近接する位置に設けているが、該第１傾斜面の傾斜角度を大きくしているため、拡径部の開口端の溝幅を十分に大きくでき、回路基板の挿入作業を容易にすることができる。
また、第１傾斜面の傾斜角度を大とすることにより、第１傾斜面に当接された回路基板の挿入方向が規制されやすく、回路基板の挿入角度を規制している途中で電子部品がケースと干渉するのを確実に防止することができる。
【００１０】
前記ガイド溝は前記ケースの開口端から奥端まで延在して形成され、前記第１傾斜面が前記ガイド溝の全長に対して４分の１以下の範囲に設けられていることが好ましい。
【００１１】
前記構成によれば、回路基板を挿入方向の約４分の１だけケース内に挿入した時点で回路基板がケースに対して略真っ直ぐに挿入されるように挿入方向が規制されているため、回路基板に実装した電子部品とケースとの干渉をより確実に防止することができる。
【００１２】
前記傾斜面のケース奥側に前記傾斜面よりも緩やかに傾斜する中間緩傾斜面が連続させて設けられており、前記ガイド溝の側面の傾斜角度を３段に変化させていることが好ましい。
前記構成によれば、開口側に設けた拡径部の傾斜面によって回路基板の挿入角度を回路基板に実装した電子部品がケースに干渉しない角度に規制し、さらに中間緩傾斜面によって回路基板の挿入角度を徐徐に規制していくため、回路基板のケース内への挿入をスムーズに行うことができる。また、中間緩傾斜面のケース奥側には細幅部を設けているため、該細幅部で回路基板を位置決め保持して回路基板が挿入後にケース内でガタつくのを防止することができる。
【００１３】
前記ケース内に複数枚の回路基板が収容される場合には、該ケースの側壁内面に複数の前記ガイド溝が並設され、これら並設されるガイド溝のうち少なくとも両側のガイド溝には前記拡径部が設けられていることが好ましい。
並設した複数のガイド溝のうち両側のガイド溝はケースの周壁に近接しているため、両側のガイド溝に回路基板を挿入する際、該回路基板に実装した電子部品がケースと干渉しやすくなるが、前記構成によれば、両側のガイド溝に前記拡径部を設けているため、電子部品とケースとの干渉を防止することができる。なお、両側のガイド溝以外のガイド溝にも前記拡径部を設けてもよい。
【発明の効果】
【００１４】
前述したように、本発明によれば、ケース内面に設けたガイド溝の開口側に拡径部を設け、該拡径部の第１傾斜面の傾斜開始点を第２傾斜面の傾斜開始点よりも開口側に設けているため、ケースに対して斜め挿入された回路基板が挿入の初期段階で第１傾斜面に当接し、回路基板の挿入角度が規制される。よって、回路基板に実装した電子部品がケースと干渉する前に回路基板の挿入角度が規制されるため、回路基板をケース内に挿入する際に電子部品がケースの開口周縁と干渉するのを防止でき、電子部品の損傷や回路基板からの脱落を防止することができる。
【発明を実施するための最良の形態】
【００１５】
本発明の実施形態を図面を参照して説明する。
図１乃至図５は、本発明の第１実施形態を示し、電子制御装置１０は一端開口でボックス形状のケース１１と、該ケース１１内に収容するプリント基板（回路基板）２０と、ケース１１の一端開口を覆う蓋１２とを備えている。
【００１６】
前記ケース１１はボックス形状の樹脂成型品からなり、前端をプリント基板２０の挿入口となる挿入用開口１３としている。図２（Ｂ）（Ｃ）に示すように、ケース１１の対向する左右両側壁１１ａの内面に一対のガイド溝１４を設けると共に、両側壁１１ａの開口側外面の所要箇所に係止爪１７を設けている。
一対のガイド溝１４は、プリント基板２０をケース１１内に案内すると共にプリント基板２０の両側に摺動自在に嵌合して該プリント基板２０をケース１１内の所要箇所に位置決め保持するものである。該ガイド溝１４は溝幅方向に対向する上下両側面１４ａと溝底面１４ｂとからなり、ケース奥側では両側面１４ａを互いに平行に設けて溝幅を均一とした直線状の細幅部１４Ａとする一方、開口側では両側面１４ａを互いに離反する方向へ傾斜させた第１傾斜面１５、第２傾斜面１６とし、溝幅を開口側に向けて広げた拡径部１４Ｂとしている。
【００１７】
前記ガイド溝１４の細幅部１４Ａは、ケース１１の上壁１１ｂ及び底壁１１ｃと平行とすると共に上壁１１ｂと底壁１１ｃから等距離となる位置に設けており、挿入用開口１３側を拡径部１４Ｂと連続させると共にケース奥側はケース１１の奥壁１１ｄまで延在させている。また、細幅部１４Ａの溝幅はプリント基板２０の基板厚さより若干大きく設定しており、細幅部１４Ａの両側面１４ａでプリント基板２０の上下面の両側を挟持する構成としている。
なお、細幅部１４Ａはケース１１の上下方向の中央ではなく、上壁１１ｂまたは底壁１１ｃと近接する位置に設けてもよい。
【００１８】
一方、ガイド溝１４の拡径部１４Ｂでは、対向する下面側の第１傾斜面１５と上面側の第２傾斜面１６のケース内部側の傾斜開始点１５ａ、１６ａの位置を相違させており、第１傾斜面１５の傾斜開始点１５ａを他方の第２傾斜面１６の傾斜開始点１６ａよりも挿入用開口１３に近接する位置に設けて、第１傾斜面１５の傾斜角度を第２傾斜面１６の傾斜角度よりも大きくしている。ケース１１の挿入用開口１３から第１傾斜面１５の傾斜開始点１５ａまでの距離ｌをガイド溝１４の全長Ｌの４分の１以下としていることが好ましく、本実施形態では距離ｌをガイド溝全長Ｌの５分の１としている。また、第１傾斜面１５の傾斜角度は３０〜６０度としていることが好ましく、本実施形態では４５度としている一方、第２傾斜面１６の傾斜角度は２０〜４０度としていることが好ましく、本実施形態では３０度としている。さらに、ガイド溝１４の開口端の溝幅をケース１１の上壁１１ｂ内面と底壁１１ｃの内面間の距離と一致させている。
【００１９】
前記ケース１１内に収容するプリント基板２０は、基板２１の上下両面に所要の印刷導体（図示せず）を設けると共に、上下両面に所要の電子部品２２を実装している。本実施形態では、大型の電子部品を基板２１の上面側に実装している。また、基板２１の挿入側とは反対側の後端部に後方に向けて突出するコネクタ２３を設けている。
【００２０】
前記ケース１１の挿入用開口１３を覆う蓋１２には、プリント基板２０のコネクタ２３をケース外に露出させるためのコネクタ用貫通孔１２ａを穿設している共に、両側に係止孔１２ｂを穿設した係止枠１２ｃを直交方向に突出させて設けている。
【００２１】
前記ケース１１内にプリント基板２０を収納する際には、図４（Ａ）に示すように、ケース１１に対してプリント基板２０を下方傾斜させた状態で、ケース１１の挿入用開口１３からプリント基板２０を挿入する。そして、プリント基板２０の挿入側先端の両側をケース１１に設けたガイド溝１４の第１傾斜面１５に当接する。該第１傾斜面１５は傾斜開始点１５ａを挿入用開口１３に近接する位置に設けているため、挿入作業の初期の段階でプリント基板２０の挿入側先端が第１傾斜面１５に当接する。よって、プリント基板２０に実装した電子部品２２がケース１１の上壁１１ｂの開口端と干渉する前にプリント基板２０の挿入側先端を第１傾斜面１５に当接させることができ、図４（Ｂ）（Ｃ）に示すように、ガイド溝１４によってプリント基板２０の挿入角度を規制し、細幅部１４Ａの中心軸線に近接させながら挿入していく。
【００２２】
図５に示すように、プリント基板２０の挿入側先端がケース１１の奥壁１１ｄの内面に突き当たるまでプリント基板２０をケース１１内に押し込み、この状態で挿入用開口１３に蓋１２を被せ、ケース１１の係止爪１７を蓋１２の係止孔１２ｂに係止してケース１１に蓋１２をロック結合している。このとき、蓋１２のコネクタ用貫通孔１２ａからプリント基板２０に取り付けたコネクタ２３がケース外部に露出しており、該コネクタ２３に所要の相手方コネクタ（図示せず）を嵌合している。
【００２３】
前記構成によれば、電子制御装置１０のケース１１内面に設けたガイド溝１４の第１傾斜面１５の傾斜開始点１５ａを第２傾斜面１６の傾斜開始点１６ａよりも挿入用開口１３側に設けて、第１傾斜面１５の傾斜角度を第２傾斜面１６の傾斜角度よりも大きくしているため、ケース１１に対して斜め挿入されたプリント基板２０が挿入の初期段階で第１傾斜面１５に当接する。このように、ケース１１内に挿入されるプリント基板２０はガイド溝１４の第１傾斜面１５によって挿入の初期段階で挿入角度が規制されるため、プリント基板２０に実装した電子部品２２がケース１１の開口周縁と干渉するのを防止でき、電子部品２２の損傷やプリント基板２０からの脱落を防止することができる。
【００２４】
図６は、本発明の第２実施形態を示す。
本実施形態ではケースの両側壁に設けたガイド溝の構成を第１実施形態と相違させている。
本実施形態のケース３１は、両側壁３１ａにそれぞれ２本のガイド溝３４を設けており、これら２本のガイド溝３４は、ケース３１の上下方向の中央を通る中心線ＣＬを対象軸として略対称な形状としている。
【００２５】
前記ガイド溝３４はケース奥側を細幅部３４Ａとする一方、ケース開口側を拡径部３４Ｂとしており、拡径部３４Ｂの中心線ＣＬ側の第１傾斜面３５の傾斜開始点３５ａを反対側の第２傾斜面３６の傾斜開始点３６ａよりも挿入用開口３３に近接する位置に設けている。第１傾斜面３５のケース奥側には、該第１傾斜面３５の傾斜角度よりも緩やかに傾斜する中間緩傾斜面３７を設けており、第１傾斜面３５と、中間緩傾斜面３７と、細幅部３４Ａの側面１４ａとを連続させて、ガイド溝３４の中心線ＣＬ側の側面１４ａの傾斜角度を３段に変化させている。第１傾斜面３５の傾斜角度は３０〜６０度としていることが好ましく、本実施形態では４５度としており、中間緩傾斜面３７の傾斜角度は１０〜２０度としていることが好ましく、本実施形態では１５度としている。
【００２６】
ケース３１の奥壁３１ｄには、２つの突起３８、３９を設けており、突起３８には一方のガイド溝３４（図６中、上方）に挿入してケース３１内に収納したプリント基板（図示せず）の挿入側先端を突き当てる一方、突起３９の下面に他方のガイド溝３４（図６中、下方）に挿入してケース３１内に収納した他方のプリント基板（図示せず）の上面を当接させてプリント基板を位置決め保持している。
【００２７】
前記構成によれば、挿入用開口３３側に設けた第１傾斜面３５によってプリント基板の挿入角度を該プリント基板に実装した電子部品がケース３１に干渉しない角度に規制し、さらに緩やかに傾斜する中間緩傾斜面３７によってプリント基板の挿入角度を徐徐に規制していくため、プリント基板のケース３１内への挿入をスムーズに行うことができる。
また、中間緩傾斜面３７のケース奥側には細幅部３４Ａを設けているため、該細幅部３４Ａでプリント基板を位置決め保持してプリント基板が挿入後にケース３１内でガタつくのを防止することができる。
なお、ガイド溝の両側面のうち、中心線ＣＬと反対側の側面にも中間緩傾斜面を設けて両側面とも傾斜角度を３段に変化させてもよい。
また、他の構成及び作用効果は第１実施形態と同様のため、同一の符号を付して説明を省略する。
【００２８】
図７は、本発明の第３実施形態を示す。
本実施形態のケース４１には、両側壁４１ａにそれぞれガイド溝を５本ずつ設けており、上下両側の２本のガイド溝４２は対称な形状とし、中央の３本のガイド溝４３は同一形状としている。
【００２９】
上下両端の２本のガイド溝４２はケース奥側を細幅部４２Ａとする一方、ケース開口側を拡径部４２Ｂとしており、拡径部４２Ｂの中央側の第１傾斜面４４の傾斜開始点４４ａを反対側の第２傾斜面４５の傾斜開始点４５ａよりも開口４６に近接する位置に設けている。
【００３０】
一方、中央の３本のガイド溝４３はケース奥側を細幅部４３Ａとする一方、ケース開口側を拡径部４３Ｂとしており、拡径部４３Ｂの両傾斜面４７の傾斜開始点４７ａを挿入用開口３３から等距離となる位置に設けている。傾斜面４７の傾斜角度は前記ガイド溝４２の第２傾斜面４５の傾斜角度と同一とし、２０〜４０度としていることが好ましく、本実施形態では３０度としている。
【００３１】
前記構成によれば、ケースの周壁に近接している両端のガイド溝４２に傾斜面の傾斜開始点をケース開口に近接させて設けた第１傾斜面４４を設けているため、プリント基板に実装した電子部品とケースとの干渉を防止することができる。
なお、中央のガイド溝にも両端のガイド溝と同様の前記拡径部を設けてもよい。該構成とすれば、挿入するプリント基板に実装した電子部品と先にケース内に収納したプリント基板との干渉も確実に防止することができる。
また、前記第１〜第３実施形態では、１つのケースに１組、２組、５組のガイド溝を設けているが、１つのケースに３組、４組、６組以上のガイド溝を設けてもよい。
【図面の簡単な説明】
【００３２】
【図１】本発明の第１実施形態の電子制御装置の分解斜視図である。
【図２】ケースを示し、（Ａ）は平面図、（Ｂ）はＡ−Ａ線断面図、（Ｃ）はＢ−Ｂ線断面図である。
【図３】蓋を示し（Ａ）は正面図、（Ｂ）は平面図である。
【図４】（Ａ）〜（Ｃ）はプリント基板のケース内への挿入方法を示す図面である。
【図５】ケース内にプリント基板を収納した状態を示す断面図である。
【図６】第２実施形態のケースを示し、（Ａ）は正面図、（Ｂ）はＣ−Ｃ線断面図である。
【図７】第３実施形態のケースの断面図である。
【図８】従来例を示す図面である。
【図９】従来の問題点を示す図面である。
【符号の説明】
【００３３】
１０  電子制御装置
１１  ケース
１２  蓋
１３  プリント基板の挿入用開口
１４  ガイド溝
１４ａ  両側面
１４ｂ  溝底面
１４Ａ  細幅部
１４Ｂ  拡径部
１５  第１傾斜面
１６  第２傾斜面
１５ａ、１６ａ  傾斜面の傾斜開始点
２０  プリント基板
２２  電子部品
３７  中間緩傾斜面
【図１】
2007035741.tif 000003
【図２】
2007035741.tif 000004
【図３】
2007035741.tif 000005
【図４】
2007035741.tif 000006
【図５】
2007035741.tif 000007
【図６】
2007035741.tif 000008
【図７】
2007035741.tif 000009
【図８】
2007035741.tif 000010
【図９】
2007035741.tif 000011